(57)【要約】【課題】トラック荷室内の多数個の荷物を荷卸しするための荷卸しコンベアには移動用のキャスタ車輪を備えたものが提供されているが、特に冷凍車のように荷室床面に冷却用の溝部が存在するスノコ状の床面である場合には、キャスタ車輪が溝部に嵌り込んでスムーズに移動できない場合があった。本発明は、荷室床面に溝部が存在する場合であっても荷卸しコンベアをスムーズに移動させることができるようにする。【解決手段】移動用の車輪として、車輪径よりも車輪幅が大きなローラ形の幅広車輪２４を備えた構成とする。ローラ形の幅広車輪２４に加えてキャスタ形の幅狭車輪２５を切り替えて接地させる車輪装置２０とする。床面の状況に合わせて幅広車輪２４と幅狭車輪２５を切り替えることにより、荷卸しコンベア１０の取り扱い性を高めることができる。【選択図】図４
2018039583.tif 000002
【特許請求の範囲】
【請求項１】
荷室の後部から奥部に至って伸縮可能な荷卸しコンベアであって、伸縮方向に相対移動可能に連結された複数段の分割コンベアを備え、該各分割コンベアは前記荷室の床面上を移動するための車輪を備えており、前記複数段の分割コンベアのうち、少なくとも伸縮方向前端の第１段分割コンベアの車輪が車輪径よりも車輪幅が大きなローラ形の幅広車輪とされた荷卸しコンベア。
【請求項２】
請求項１記載の荷卸しコンベアであって、前記第１段分割コンベアの車輪について、車輪径が車輪幅よりも大きな幅狭車輪と、前記ローラ形の幅広車輪とを切り替えて前記床面に接地可能な構成とした車輪装置を備えた荷卸しコンベア。
【請求項３】
請求項２記載の荷卸しコンベアであって、前記車輪装置は、前記分割コンベアの左右脚部に、レバー操作により回動可能に支持された車輪ブラケットと、該左右の車輪ブラケットのそれぞれに前記幅狭車輪が回転自在に支持され、該左右の車輪ブラケット間に跨って前記幅広車輪が回転自在に支持された構成とした荷卸しコンベア。
【請求項４】
請求項１〜３の何れか１項に記載した荷卸しコンベアであって、前記第１段分割コンベアの前部に、上下に傾動可能なスイング式の補助コンベアを備えた荷卸しコンベア。
【請求項５】
請求項１〜４の何れか１項に記載した荷卸しコンベアであって、前記複数段の分割コンベアは、それぞれ電動モータを駆動源とする搬送ベルトを備えており、前記各分割コンベアの電動モータの電源として、充電式のバッテリを備えた荷卸しコンベア。
【発明の詳細な説明】
【技術分野】
【０００１】
この発明は、例えばトラック荷室やコンテナ内に積み込んだ多数個の荷物を荷卸しし、あるいは積み込む作業に用いる荷卸しコンベアに関する。
【背景技術】
【０００２】
下記の特許文献にはトラックの荷室内に荷物を積み込むための荷積み装置に関する技術が開示されている。この従来の荷積み装置は、トラック荷室の後部から奥部に至って伸縮可能なコンベヤと、このコンベヤの先端に連結されて当該コンベヤの伸縮動作により荷室内の後部と奥部との間を移動する台車を備えている。特許文献１に開示されたコンベアでは、台車に積み込みロボットが搭載されている。積み込みロボットには、予めティーチングにより荷物積み込み動作が記憶されている。係る荷積み装置によれば、ほぼ無人で多数個の荷物を荷室内に整然と積み込むことができる。また、特許文献２に開示されたコンベアでは、台車に作業者が乗って上下にリフトさせるための昇降式作業台が設けられている。これら従来の荷卸しコンベアによれば、無人若しくは少ない人数で、トラック荷室内の多数個の荷物を迅速に荷卸しすることができる。
【先行技術文献】
【特許文献】
【０００３】
【特許文献１】特公平８−１５９５０号公報
【特許文献２】特許第２７３３０１３号公報
【発明の概要】
【発明が解決しようとする課題】
【０００４】
しかしながら、上記従来の荷卸しコンベアについては次のような解決すべき課題があった。従来の荷卸しコンベアは、トラック荷台上を移動するためにキャスタ付きの脚部を備えている。トラック荷台が平坦な床面である場合には問題ないが、例えば、鮮魚輸送用のトラックであって荷室が冷凍庫（冷凍コンテナ）になっている場合には、荷室床面は冷却性を高める等の目的で溝部が多数存在するスノコ状になっている。このため、従来はスノコ状床面の冷却溝部にキャスタが嵌り込んでコンベアをスムーズに移動させることが困難になっていた。
【０００５】
本発明は、上記従来の問題に鑑みてなされたもので、荷室床面の様々な状況に対応してコンベアをスムーズに移動できるようにし、これにより荷卸し作業若しくは荷積み作業の作業性を高めることを目的とする。
【課題を解決するための手段】
【０００６】
上記の課題は、以下の各発明により解決される。第１の発明は、荷室の後部から奥部に至って伸縮可能な荷卸しコンベアである。第１の発明では、荷卸しコンベアは、伸縮方向に相対移動可能に連結された複数段の分割コンベアを備えている。第１の発明では、各分割コンベアは荷室の床面上を移動するための車輪を備えている。第１の発明では、複数段の分割コンベアのうち、少なくとも伸縮方向前端の第１段分割コンベアの車輪が車輪径よりも車輪幅が大きなローラ形の幅広車輪とされている。
【０００７】
第１の発明によれば、少なくとも第１段分割コンベアの車輪がローラ形の幅広車輪であるの、荷室の床面がスノコ状態に凸凹していても、当該車輪が凹溝部に嵌り込みにくくなってスムーズに移動させることができる。少なくとも第１段分割コンベアをスムーズに移動させることができるので、当該荷卸しコンベアの伸縮動作がスムーズになされて荷卸し作業若しくは荷積み作業の作業性を高めることができる。
【０００８】
第２の発明は、第１の発明において、第１段分割コンベアの車輪について、車輪径が車輪幅よりも大きな幅狭車輪と、ローラ形の幅広車輪とを切り替えて床面に接地可能な構成とした車輪装置を備えた荷卸しコンベアである。
【０００９】
第２の発明によれば、スノコ状の凸凹が存在する床面である場合には幅広車輪を使用し、平坦な床面である場合には幅狭車輪を使用することにより、当該荷卸しコンベアの伸縮動作を荷室床面の状況に合わせてより迅速かつスムーズに行うことができ、この点で荷卸し作業若しくは荷積み作業の作業性を一層高めることができる。
【００１０】
第３の発明は、第２の発明において、車輪装置は、分割コンベアの左右脚部に、レバー操作により回動可能に支持された車輪ブラケットと、左右の車輪ブラケットのそれぞれに幅狭車輪が回転自在に支持され、左右の車輪ブラケット間に跨って幅広車輪が回転自在に支持された構成とした荷卸しコンベアである。
【００１１】
第３の発明によれば、荷室床面に対して幅狭車輪を接地させた状態と幅広車輪を接地させた状態とをレバー操作で簡単に切り替えることができる。
【００１２】
第４の発明は、第１〜第３の何れか一つの発明において、第１段分割コンベアの前部に、上下に傾動可能なスイング式の補助コンベアを備えた荷卸しコンベアである。
【００１３】
第４の発明によれば、荷室奥部で荷卸し作業をする作業員の便宜を図ることができる。補助コンベアを下向きに傾斜させておくことにより、作業員は低い位置の荷物をコンベア上に楽に移載することができる。逆に、補助コンベアを上向きに傾斜させておくことにより、作業員は高い位置の荷物をコンベア上に楽に移載することができる。
【００１４】
第５の発明は、第１〜第４の何れ一つの発明において、複数段の分割コンベアは、それぞれ電動モータを駆動源とする搬送ベルトを備えており、各分割コンベアの電動モータの電源として、充電式のバッテリを備えた荷卸しコンベアである。
【００１５】
第５の発明によれば、交流電源が用意されていない場所で当該荷卸しコンベアを動作させることができる。また、停電時においても荷卸しコンベアを動作させることができる。さらに、交流電源供給用のコンセントに電源コードを接続する手間を省略できるとともに、電源コードが作業の邪魔になることがなく、この点で当該荷卸しコンベアの作業性を高めることができる。
【図面の簡単な説明】
【００１６】
【図１】本発明の実施形態に係る荷卸しコンベアの全体側面図である。本図は、荷卸しコンベアを収縮させた状態を示している。
【図２】本発明の実施形態に係る荷卸しコンベアの全体側面図である。本図は、荷卸しコンベアを伸長させた状態を示している。
【図３】車輪装置の側面図である。
【図４】図３の(IV)矢視図であって、車輪装置の前面図である。
【図５】車輪装置の上面図である。
【図６】車輪装置の右側面図である。本図は、幅広車輪を接地させた状態を示している。
【図７】車輪装置の右側面図である。本図は、幅狭車輪を接地させた状態を示している。
【発明を実施するための形態】
【００１７】
次に、本発明の実施形態を図１〜図７に基づいて説明する。図１及び図２に示すように本実施形態の荷卸しコンベア１０は、トラックの荷室、荷台あるいはコンテナ（以下、単にトラック荷室Ｔと言う）の後部開口と奥部との間を伸縮可能な構成を備えている。図１は、収縮状態でトラックヤードＹに設置した状態を示している。荷卸しコンベア１０は、搬送方向（トラック荷室Ｔの前後方向、図１、２において紙面左右方向）に相互に移動可能に連結された第１段〜第４段分割コンベア１１〜１４を備えている。
【００１８】
最も前側の第１段分割コンベア１１は、前後左右に脚部１１ｂを有するフレーム１１ａ上に支持されている。第１段分割コンベア１１のフレーム１１ａの下面側に、第２段分割コンベア１２のフレーム１２ａが前後にスライド可能に支持されている。第２段分割コンベア１２のフレーム１２ａの下面側に、第３段分割コンベア１３のフレーム１３ａが前後にスライド可能に支持されている。第３段分割コンベア１３のフレーム１３ａの下面側に、第４段分割コンベア１４のフレーム１４ａが前後にスライド可能に支持されている。第１段〜第４段分割コンベア１１〜１４の伸縮動作は作業者の手動操作により行うことができる。
【００１９】
図１に示すように収縮状態では、第１段分割コンベア１１の下面側に沿って第２段分割コンベア１２が収納され、第２段分割コンベア１２の下面側に沿って第３段分割コンベア１３が収納され、第３段分割コンベア１３の下面側に沿って第４段分割コンベア１４が収納される。第１段分割コンベア１１の搬送面が最も高く、第４段分割コンベア１４の搬送面が最も低くなっている。このため、図２に示すように荷物Ｐは、第１段分割コンベア１１から一段ずつ下がって後方の第４段分割コンベア１４上に搬送される。
【００２０】
第１段〜第４段分割コンベア１１〜１４には、駆動源としてそれぞれ独自の電動モータ１１ｃ〜１４ｃが備え付けられている。電動モータ１１ｃ〜１４ｃは、同期して起動、停止するよう動作制御されている。第１段分割コンベア１１の前部には、電源としてのバッテリを搭載するための電源部１５が設けられている。バッテリには、例えば電動アシスト付きの自転車に用いられる専用バッテリであって、充電して繰り返し使用できるものが用いられている。電源部１５には、インバータが内装されている。バッテリの直流電源をインバータで三相交流に変換している。電動モータ１１ｃ〜１４ｃには、安価な三相交流モータが用いられている。電動モータ１１ｃ〜１４ｃは、インバータで変換された三相交流を電源としている。なお、電動モータ１１ｃ〜１４ｃにＤＣモータを用いる場合には、インバータを省略することができる。
【００２１】
第１段分割コンベア１１のフレーム１１ａは、前後左右に４つの脚部１１ｂを備えている。第２段〜第４段分割コンベア１２〜１４のフレーム１２ａ〜１４ａは、それぞれ後部側に左右２つの脚部１２ｂ，１３ｂ，１４ｂを備えている。第１段〜第３段分割コンベア１１〜１３の脚部１１ｂ〜１３ｂには、トラック荷室Ｔの荷室床面Ｆ若しくはトラックヤードＹを移動するための車輪装置２０が設けられている。但し、本実施形態では、第４段分割コンベア１４の脚部１４ｂには、トラックヤードＹの平坦な床面上の移動のみを想定した自在キャスタ１４ｄが取り付けられている。
【００２２】
第１段〜第３段分割コンベア１１〜１３の合計４箇所の車輪装置２０は同様の構成を備えている。第１段分割コンベア１１の前側の車輪装置２０の詳細が図３以降に示されている。車輪装置２０は、ローラ形の幅広車輪２４と、キャスタ形の幅狭車輪２５を切り替えて接地可能な構成を備えている。前側の左右の脚部１１ｂには、支持板部２１が下方へ張り出す状態に取り付けられている。左右の支持板部２１間には、１本の軸部２２が軸回りに回転自在に支持されている。軸部２２の左右には、車輪ブラケット２３が一体に設けられている。軸部２２を軸回りに回転させると左右の車輪ブラケット２３が一体で前後に傾動する。
【００２３】
左右の車輪ブラケット２３間には、一つの幅広車輪２４がその軸回りに回転自在に支持されている。幅広車輪２４には、その外径（車輪径）よりも車輪幅が大きなローラ型の車輪が用いられている。この幅広車輪２４に加えて、左右の車輪ブラケット２３には、それぞれ一つの幅狭車輪２５が回転自在に支持されている。左右の幅狭車輪２５には、その外径よりも車輪幅が小さい車輪であって、向き（進行方向）を自在に変更可能な自在キャスタが用いられている。軸部２２の回転により左右の車輪ブラケット２３が前後に傾動することにより、幅広車輪２４を接地させた状態と、幅狭車輪２５を接地させた状態とに切り替えることができる。
【００２４】
軸部２２の右端部側は、側方へ突き出されている。この突き出し部分に、ブロック体２７が取り付けられている。ブロック体２７に切り替えレバー２６が支持されている。切り替えレバー２６は上方へ伸びている。切り替えレバー２６を前後に傾動操作することにより、軸部２２をその軸回りに一体で回動させることができる。このため、図６に示すように切り替えレバー２６を前側へ傾動操作することにより、幅広車輪２４を接地させることができる。これに対して図３及び図７に示すように切り替えレバー２６を後ろ側へ傾動操作することにより、左右の幅狭車輪２５を接地させることができる。
【００２５】
切り替えレバー２６はブロック体２７に対して支軸２８を介して左右に傾動可能に支持されている。図３及び図４に示すように、支軸２８の下側において切り替えレバー２６とブロック体２７との間には圧縮ばね２９が介装されている。この圧縮ばね２９により切り替えレバー２６は、支軸２８を中心にして左方へ傾動する方向に付勢されている。
【００２６】
右側の支持板部２１には、側方へ張り出すフランジ部２１ａが一体に設けられている。フランジ部２１ａには、２つの係合凹部２１ｂ，２１ｃが前後に隣接して設けられている。切り替えレバー２６を支軸２８を中心にして左右に傾動させつつ、前後に傾動操作することにより、当該切り替えレバー２６を前側の係合凹部２１ｂに進入させた状態と、後ろ側の係合凹部２１ｃに進入させた状態に切り替えることができる。前側の係合凹部２１ｂ又は後ろ側の係合凹部２１ｃに進入させることにより切り替えレバー２６を前側の傾動位置又は後ろ側の傾動位置に保持することができる。上記したように切り替えレバー２６は、ブロック体２７との間に介装した圧縮ばね２９により係合凹部２１ｂ若しくは係合凹部２１ｃ内に進入する方向(図４において反時計回り方向）に付勢されている。このため、切り替えレバー２６は、圧縮ばね２９の付勢力に抗して右方へ傾動させることができる一方、圧縮ばね２９の付勢力により、係合凹部２１ｂ若しくは係合凹部２１ｃ内に進入した状態に保持される。
【００２７】
切り替えレバー２６が前側の係合凹部２１ｂ内に保持されることにより、幅広車輪２４が接地状態に保持される。切り替えレバー２６が後ろ側の係合凹部２１ｃ内に保持されることにより、左右の幅狭車輪２５が接地状態に保持される。幅広車輪２４を接地させた状態では、トラック荷室Ｔの荷室床面Ｆにスノコ状の溝部が存在する場合であっても、幅広車輪２４が溝部に嵌まり込むことがないので、第１段分割コンベア１１をスムーズに移動させることができる。これに対して、幅狭車輪２５を接地させた状態では、向きを自在に変更可能であり、かつ接地面積が小さいことから、第１段分割コンベア１１ひいては当該荷卸しコンベア１０を、例えばトラックヤードＹ等の平坦な床面（路面）をより小さな力で楽に移動させることができる。
【００２８】
以上のように構成した車輪装置２０が、第１段分割コンベア１１の前部と後部の脚部１１ｂ、第２段分割コンベア１２の後部の脚部１２ｂ、第３段分割コンベア１３の後部の脚部１３ｂの合計４箇所に設けられている。図２に示すように、当該荷卸しコンベア１０を伸長させてトラック荷台Ｔ内に進入する脚部１１ｂ，１２ｂ，１３ｂについて車輪装置２０が設けられている。トラックヤードＹ上に残る最後尾の脚部１４ｂについては、幅狭車輪２５に相当する自在キャスタ１４ｄのみが設けられている。
【００２９】
第１段分割コンベア１１の前部には、補助コンベア３０が装備されている。補助コンベア３０は、上下に傾動可能なスイング式となっている。補助コンベア３０は、第１段分割コンベア１１の電動モータ１１ｃの動力の分配を受けて動作する。但し、独自の電動モータを駆動源として補助コンベア３０を動作させる構成とすることも可能である。補助コンベア３０と第１段分割コンベア１１の前側の脚部１１ｂとの間にはガススプリング３１が介装されている。このガススプリング３１で補助コンベア３０の自重を受けることにより、補助コンベア３０をより小さな力で楽に上方へ回動させることができ、逆に下方へゆっくりと静かに回動させることとができる。
【００３０】
ガススプリング３１には、内蔵ブレーキ３１ａが内蔵されている。内蔵ブレーキ３１ａにより、ガススプリング３１の伸縮位置（ストローク量）は任意の位置でロックすることができる。ガススプリング３１の伸縮位置を任意の位置でロックすることにより、補助コンベア３０を上下方向の任意の傾動位置にロックすることができる。図３に示すように補助コンベア３０の前部下面には、ガススプリング３１の内蔵ブレーキ３１ａを解除するためのブレーキ解除レバー３２が設けられている。ブレーキ解除レバー３２は、ワイヤ３３を経て内蔵ブレーキ３１ａに連携されている。このブレーキ解除レバー３２を解除操作すると、内蔵ブレーキ３１ａが解除されて当該ガススプリング３１は伸縮可能な状態となる。このブレーキ解除状態において、補助コンベア３０はその自重がガススプリング３１の付勢力に勝って下方の収納位置に収納される。
【００３１】
補助コンベア３０を、その搬送面を第１段分割コンベア１１の搬送面に対して面一に一致させた水平位置（図３に示す位置）に位置させて、ガススプリング３１をロックすることにより当該補助コンベア３０が水平位置に保持される。補助コンベア３０は、図３に示す水平位置と、水平位置から下方へ約９０°回動させた収納位置（図１に示す位置）との間の任意の傾動位置に保持することができる。図２には、補助コンベア３０を水平位置から下方へ約３０°傾斜した位置に移動させた状態が示されている。
【００３２】
補助コンベア３０を水平位置に保持することにより、作業者は高い位置の荷物を起立姿勢のまま楽に補助コンベア３０上に移載することができる。補助コンベア３０を例えば図２に示すように約３０°下方へ傾斜させた位置にロックしておくことにより、作業者はトラック荷室Ｔ内の低い位置の荷物Ｐを短い距離だけ持ち上げて補助コンベア３０上に楽に移載することができる。
【００３３】
第１段〜第４段分割コンベア１１〜１４及び補助コンベア３０の搬送ベルトには、多数の樹脂製ピースをロッドを介して搬送方向に連結した樹脂ベルト（プラスチックモジュラーベルト）で、蛇行の少ない搬送ベルトが用いられている。但し、係るモジュラーベルトに代えてより一般的な平ベルトを用いる構成としてもよい。
【００３４】
以上のように構成した荷卸しコンベア１０によれば、移動させる床面（荷室床面Ｆ）の状態に合わせて車輪を選択することにより、スムーズな移動を実現することができ、この点で当該荷卸しコンベア１０の取り扱い性及び操作性を高めることができる。たとえば、例示した車輪装置２０を切り替え操作してローラ形の幅広車輪２４を接地させることにより、トラック荷室Ｔの荷室床面Ｆに冷却溝部等の凹部が存在する場合であっても  幅広車輪２４を溝部（凹部）に嵌まり込ませることなく荷室床面Ｆ上を転動させることができ、これにより第１段〜第４段分割コンベア１１〜１４をスムーズにトラック荷室Ｔ内に進入させることができ、また、トラック荷室Ｔ内から退出させることができる。
【００３５】
第１段〜第４段分割コンベア１１〜１４の各車輪装置２０をより接地面積の小さな幅狭車輪２５に切り替え操作することにより、例えばトラックヤードＹ等の平坦な路面を小さな力で楽に移動させることができる。特に、図１に示すように第１段〜第４段分割コンベア１１〜１４を重ね合わせて収縮させた状態では、すべての車輪装置２０を幅狭車輪２５に切り替えておくことにより、当該荷卸しコンベア１０を楽に移動させることができる。
【００３６】
幅広車輪２４と幅狭車輪２５の切り替えは、切り替えレバー２６の傾動操作により簡単
に行うことができる。
【００３７】
また、例示した荷卸しコンベア１０によれば第１段分割コンベア１１の前部にスイング式の補助コンベア３０が設けられている。この補助コンベア３０の傾斜位置を適切に変更することにより、作業者は高い位置の荷物Ｐの移載、及び低い位置の荷物Ｐの移載を楽に行うことができる。
【００３８】
さらに、例示した荷卸しコンベア１０によれば、電源として充電式のバッテリを用いる構成であることから、交流電源が用意されていない屋外あるいは停電時においても荷卸しコンベア１０を動作させることができる。交流電源供給用のコンセントに電源コードを接続する必要がないので、電源コード接続の手間を省略できるとともに、電源コードが作業の邪魔になることがなく、この点でも当該荷卸しコンベア１０の作業性を高めることができる。
【００３９】
以上説明した実施形態には種々変更を加えることができる。例えば、第１段〜第３段分割コンベア１１〜１３について合計４箇所に車輪装置２０を設けた構成を例示したが、少なくとも第１段分割コンベア１１の前側の脚部１１ｂの１箇所のみついて車輪装置２０を設け、それより後方の脚部１１ｂ，１２ｂ，１３ｂ，１４ｂについては幅狭のキャスタを取り付ける構成としてもよい。少なくとも第１段分割コンベア１１の前側の車輪としてローラ形の幅広車輪２５を接地させることにより、冷却用等の溝部が存在するスノコ状の荷室床面Ｆ上をスムーズに移動させて当該荷卸しコンベア１０の伸縮動作を迅速に行うことができ、これにより荷卸し作業若しくは荷積み作業の作業性を高めることができる。
【００４０】
また、車輪径よりも車輪幅が大きなローラ形の幅広車輪２４と、車輪径よりも車輪幅が小さなキャスタ形の幅狭車輪２５とを切り替え可能な車輪装置２０を例示したが、ローラ形の幅広車輪２４のみを有し、例示したような切り替えを行わない車輪装置としてもよい。
【００４１】
さらに、左右脚部１１ｂ，１２ｂ，１３ｂ間のそれぞれについて１つの幅広車輪２４を有する車輪装置２０を例示したが、２つ若しくは３つ以上の幅広車輪を同軸に配置する構成としてもよい。係る構成であっても、各幅広車輪が車輪径よりも車輪幅が荷室床面Ｆの冷却溝等に嵌まり込まない程度に幅広のローラ形車輪であることにより、同様の作用効果を得ることができる。
【００４２】
合計４段に伸縮される荷卸しコンベア１０を例示したが、伸縮機能を有しない１段のみの荷卸しコンベア、あるいは５段以上の分割コンベアを有する荷卸しコンベアについて、例示した切り替え式の車輪装置２０を適用することができる。
【００４３】
充電式のバッテリを電源とする直流電源式（コードレス）を例示したが、例えば３相２００Ｖの交流電源を電源とする交流電源式、あるいはその双方を電源として利用できる構成としてもよい。
【符号の説明】
【００４４】
Ｙ…トラックヤード
Ｔ…トラック荷室
Ｆ…荷室床面
Ｐ…荷物
１０…荷卸しコンベア
１１…第１段分割コンベア
１１ａ…フレーム、１１ｂ…脚部、１１ｃ…電動モータ
１２…第２段分割コンベア
１２ａ…フレーム、１２ｂ…脚部、１２ｃ…電動モータ
１３…第３段分割コンベア
１３ａ…フレーム、１３ｂ…脚部、１３ｃ…電動モータ
１４…第４段分割コンベア
１４ａ…フレーム、１４ｂ…脚部、１４ｃ…電動モータ、１４ｄ…自在キャスタ
１５…電源部
２０…車輪装置
２１…支持板部
２１ａ…フランジ部、２１ｂ，２１ｃ…係合凹部
２２…軸部
２３…車輪ブラケット
２４…幅広車輪
２５…幅狭車輪
２６…切り替えレバー
２７…ブロック体
２８…支軸
２９…圧縮ばね
３０…補助コンベア
３１…ガススプリング、３１ａ…内蔵ブレーキ
３２…ブレーキ解除レバー
３３…ワイヤ
【図１】
2018039583.tif 000003
【図２】
2018039583.tif 000004
【図３】
2018039583.tif 000005
【図４】
2018039583.tif 000006
【図５】
2018039583.tif 000007
【図６】
2018039583.tif 000008
【図７】
2018039583.tif 000009